(57)【特許請求の範囲】
【請求項１】
建物への不正な侵入が検知されたときに警報を発する警戒モードを有し、建物の玄関ドアの施錠操作及び解錠操作に基づいて前記警戒モードの設定及び解除の切り替えを実行し、前記警戒モードに設定されている状態で不正な侵入を検知したときに警報を発する建物のセキュリティシステムにおいて、
屋内に設けられて不正侵入履歴の記憶を視認できるように表示する表示パネルと、前記不正侵入履歴の記憶に基づいて報知動作を行う報知部と、スイッチと、が並設された操作装置を備え、
前記警戒モードに設定されている状態で不正な侵入が検知された際には、前記不正侵入履歴としてこれを記憶するとともに前記報知部による報知動作を実行し、不正な侵入が検知された後に前記玄関ドアが解錠操作された際には、前記不正侵入履歴を記憶して前記報知部による報知動作を実行したまま前記警戒モードを解除し、前記スイッチが押圧操作されることを条件に前記不正侵入履歴の記憶をリセットする
ことを特徴とする建物のセキュリティシステム。
【請求項２】
請求項１に記載の建物のセキュリティシステムにおいて、
固有の識別コードを有する携帯機と、同携帯機との通信を通じて前記玄関ドアの施錠及び解錠を制御する電気錠装置とを更に備え、前記電気錠装置が、前記携帯機の識別コードに対応した固有の識別コードを有するとともに、前記携帯機との無線通信を通じて同携帯機の識別コードを受信するものであるとき、前記不正侵入履歴の記憶をリセットするための条件が、
ａ１．前記スイッチが押圧操作されたこと、及び
ａ２．前記電気錠装置が自身の識別コードと前記携帯機の識別コードとが一致している旨を判断して前記玄関ドアを解錠操作したこと、
の論理積条件からなる
ことを特徴とする建物のセキュリティシステム。
【請求項３】
請求項１に記載の建物のセキュリティシステムにおいて、
固有の識別コードを有する携帯機を更に備え、前記操作装置が、前記携帯機の識別コードに対応した固有の識別コードを有するとともに、前記携帯機との無線通信を通じて同携帯機の識別コードを受信するものであるとき、前記不正侵入履歴の記憶をリセットするための条件が、
ｂ１．前記スイッチが押圧操作されたこと、及び
ｂ２．前記操作装置が自身の識別コードと前記携帯機の識別コードとが一致している旨を判断したこと、
の論理積条件からなる
ことを特徴とする建物のセキュリティシステム。
【請求項４】
請求項３に記載の建物のセキュリティシステムにおいて、
前記携帯機が、電気的エネルギの供給を受けて固有のトランスポンダコードを送信するトランスポンダを更に備えるものであり、前記操作装置が、前記携帯機のトランスポンダに対応した固有のトランスポンダコードを有するとともに、前記トランスポンダへ駆動電波を送信して電気的エネルギの供給を行い、前記トランスポンダから前記携帯機のトランスポンダコードを受信するものであるとき、前記不正侵入履歴の記憶をリセットするための条件が、前記条件ｂ１及び前記条件ｂ２の論理積条件を第１の条件として、また、
ｃ１．前記スイッチが押圧操作されたこと、及び
ｃ２．前記操作装置が自身のトランスポンダコードと前記携帯機のトランスポンダコードとが一致している旨を判断したこと、
の論理積条件を第２の条件として、これら第１及び第２の条件のいずれか一方の条件が満足されることである
ことを特徴とする建物のセキュリティシステム。
【請求項５】
請求項１〜４のいずれか一項に記載の建物のセキュリティシステムにおいて、
前記操作装置は、警戒対象の各々に対して設けられる発光部を有し、
前記発光部は、前記警戒モードが解除されているときにそれぞれ対応する警戒対象が開状態である場合には点灯表示を行い、前記警戒モードに設定されているときにそれぞれ対応する警戒対象が開状態である場合には点滅表示を行う
ことを特徴とする建物のセキュリティシステム。
【請求項６】
請求項１〜５のいずれか一項に記載の建物のセキュリティシステムにおいて、
前記スイッチは、前記警戒モードの設定及び解除を切り替えるための警戒モード切り替えスイッチであり、
前記警戒モードが解除されている状態で前記不正侵入履歴が記憶されている場合、前記警戒モード切り替えスイッチが押圧操作されたとき、前記警戒モードの解除状態を維持したまま前記不正侵入履歴の記憶をリセットする
ことを特徴とする建物のセキュリティシステム。
【発明の詳細な説明】
【技術分野】
【０００１】
本発明は、住宅やビル等の建物に構築されて建物への不正な侵入を検知して警報を発する建物のセキュリティシステムに関する。
【背景技術】
【０００２】
従来、空き巣狙いや強盗などの防犯対策として、住宅やビル等に設けられた玄関ドアや窓等からの不正な侵入があった場合にこれを検知して警報を発する建物のセキュリティシステムが周知である（例えば特許文献１や特許文献２）。このようなセキュリティシステムは通常、不正な侵入があった場合に警報を発するようにする警戒モードの設定及び解除の切り替えをユーザ自身が行うようになっており、これにより例えば就寝時や外出時等、ユーザのニーズに応じた適切な状況で警報が発せられるようになっている。そして近年、例えばユーザの玄関ドアからの出入りの状況に応じてこのような警戒モードの設定及び解除の切り替えを自動的に行うようにしたセキュリティシステムが提案されている。このようなセキュリティシステムとしては、例えば特許文献３に記載のセキュリティシステムがある。
【０００３】
このセキュリティシステムは、固有の識別コードを記憶するとともに同識別コードを送信する携帯機と、玄関ドアに設置されて同携帯機から送信される識別コードを受信する受信機と、ユーザの玄関ドアからの出入りを検知する検知センサとを基本的に備える構成となっている。そして、このセキュリティシステムは、ユーザが携帯機を所持した状態で玄関ドアに近づくと、警戒モードの設定のための条件が成立しているか否かを判断し、同条件が成立していると判断した場合には警戒モードとなる。ここで、警戒モードの設定のための条件は次のような条件の論理積（ＡＮＤ）条件からなる。すなわち、
（イ）受信機で受信した携帯機の識別コードと予め記憶されている識別コードとが一致していること。
（イ’）検知センサによりユーザが住宅内から出ることが検知されていること。
【０００４】
また、このセキュリティシステムは、警戒モードの解除のための条件が成立しているか否かも判断し、同条件が成立していると判断した場合には警戒モードを解除する。ここで、警戒モードの解除のための条件は次のような条件の論理積（ＡＮＤ）条件からなる。すなわち、
（ロ）受信機で送信した携帯機の識別コードと予め記憶されている識別コードとが一致していること。
（ロ’）検知センサによりユーザが住宅内に入ることが検知されていること。
【０００５】
セキュリティシステムとしてのこのような構成により、ユーザが携帯機を所持して玄関ドアを出入りすれば警戒モードの設定及び解除の切り替えが自動的に行われるようになるため、外出時の警戒モードの設定し忘れや、帰宅時の警戒モードの解除し忘れを防止することができるようになる。
【特許文献１】特開２００４−１３５１９７
【特許文献２】特開２００４−３６２２５２
【特許文献３】特開２００６−３５０８６２
【発明の開示】
【発明が解決しようとする課題】
【０００６】
ところで、この特許文献３に記載のセキュリティシステムにあっては、不正な侵入が検知された場合には警戒モードの設定及び解除の切り替えを行わないようにしている。これにより、例えば外出中に不正な侵入があった場合には、ユーザの帰宅時に警戒モードが解除されることがないため、ユーザは警報を通じて不正な侵入があったことを知ることができるようになる。ただしこの場合、セキュリティシステムが警戒モードに設定されたままの状態となるため、例えば帰宅後、警戒モードを解除する前に、ユーザが誤って窓の開閉操作等を行うと、ユーザ自身の操作にも拘わらずセキュリティシステムは不正な侵入があったものと誤検知する懸念がある。このような問題を考慮して、例えば不正な侵入が検知されたか否かに拘わらず、上記警戒モードの解除のための条件が成立したときに一律に警戒モードを解除するといった方法も考えられる。しかしながら、このような方法を採用した場合には、ユーザが住宅内に入ることが検知されたときに警戒モードが解除され、これに伴い警報も停止してしまうため、ユーザは不正な侵入があったことを知ることができないおそれがある。このように、玄関ドアの施錠操作及び解錠操作に基づいて警戒モードの設定及び解除の切り替えを実行するセキュリティシステムにあっては、不正な侵入の誤検知を抑制することと同不正な侵入があったことをユーザに確実に知らせることとの両立を図ることが困難であるといった点で、なお改良の余地を残すものとなっている。
【０００７】
なお、このような課題は、上述の条件に基づいて警戒モードの設定及び解除を行うセキュリティシステムに限らず、玄関ドアの施錠操作及び解錠操作に基づいて警戒モードの設定及び解除を行うセキュリティシステムに共通する課題である。
【０００８】
本発明は、こうした実情に鑑みてなされたものであり、その目的は、不正な侵入の誤検知を抑制するとともに、不正な侵入があった場合にはこれをユーザに確実に知らせることのできる建物のセキュリティシステムを提供することにある。
【課題を解決するための手段】
【０００９】
上記課題を解決するために、請求項１に記載の発明は、建物への不正な侵入が検知されたときに警報を発する警戒モードを有し、建物の玄関ドアの施錠操作及び解錠操作に基づいて前記警戒モードの設定及び解除の切り替えを実行し、前記警戒モードに設定されている状態で不正な侵入を検知したときに警報を発する建物のセキュリティシステムにおいて、屋内に設けられて不正侵入履歴の記憶を視認できるように表示する表示パネルと、前記不正侵入履歴の記憶に基づいて報知動作を行う報知部と、スイッチと、が並設された操作装置を備え、前記警戒モードに設定されている状態で不正な侵入が検知された際には、前記不正侵入履歴としてこれを記憶するとともに前記報知部による報知動作を実行し、不正な侵入が検知された後に前記玄関ドアが解錠操作された際には、前記不正侵入履歴を記憶して前記報知部による報知動作を実行したまま前記警戒モードを解除し、前記スイッチが押圧操作されることを条件に前記不正侵入履歴の記憶をリセットすることを要旨としている。
【００１０】
同構成によれば、玄関ドアの解錠操作に伴って警戒モードが解除されるため、上述のような帰宅後のユーザ自身の誤操作を不正な侵入と誤検知してしまうといった懸念が払拭されるようになる。また、同構成によれば、このような不正な侵入があった場合には、警戒モードが解除されても不正な侵入の履歴の記憶が残ることとなり、この不正侵入履歴の記憶を通じてユーザに不正な侵入があったことを確実に知らせることができるようになる。
【００１２】
また、不正侵入履歴の記憶を表示する表示パネルと、スイッチとを並設することで、ユーザは、不正侵入履歴の記憶をリセットする際に表示パネルを必ず視認するようになるため、同表示パネルを通じてユーザに不正侵入履歴を確実に知らせることができるようになる。
【００１３】
請求項２に記載の発明は、請求項１に記載の建物のセキュリティシステムにおいて、固有の識別コードを有する携帯機と、同携帯機との通信を通じて前記玄関ドアの施錠及び解錠を制御する電気錠装置とを更に備え、前記電気錠装置が、前記携帯機の識別コードに対応した固有の識別コードを有するとともに、前記携帯機との無線通信を通じて同携帯機の識別コードを受信するものであるとき、前記不正侵入履歴の記憶をリセットするための条件が、
ａ１．前記スイッチが押圧操作されたこと、及び
ａ２．前記電気錠装置が自身の識別コードと前記携帯機の識別コードとが一致している旨を判断して前記玄関ドアを解錠操作したこと、
の論理積条件からなることを要旨としている。
【００１４】
ところで、建物のセキュリティシステムとして上記スイッチの押圧操作に基づいて不正侵入履歴の記憶をリセットするような構成を採用した場合には、例えば不正な侵入者が住宅内に侵入した後、同スイッチを押圧操作したような場合に不正侵入履歴の記憶がリセットされてしまう懸念がある。一方、玄関ドアの施錠及び解錠を制御する電気錠装置にあっては通常、玄関ドアを解錠する際に同電気錠装置の有する識別コードと携帯機の有する識別コードとを照合し、これらの識別コードが一致しているときに玄関ドアを解錠するようにしている。すなわち、電気錠装置では、これらの識別コードが一致しているときには正規のユーザであると判断して玄関ドアの解錠を行うようにしている。この点、同構成によるように、電気錠装置で正規のユーザであると判断した者がスイッチを押圧操作した場合にのみ不正侵入履歴の記憶をリセットすることとすれば、不正な侵入者による不正侵入履歴の記憶のリセットを防止することができるようになる。また、上述のようなスイッチを押圧操作した者が正規のユーザであるか否かの判定に、このような電気錠装置による玄関ドアの解錠時の識別コードの照合を利用することで、同判定を容易に行うことができるようになる。
【００１５】
請求項３に記載の発明は、請求項１に記載の建物のセキュリティシステムにおいて、固有の識別コードを有する携帯機を更に備え、前記操作装置が、前記携帯機の識別コードに対応した固有の識別コードを有するとともに、前記携帯機との無線通信を通じて同携帯機の識別コードを受信するものであるとき、前記不正侵入履歴の記憶をリセットするための条件が、
ｂ１．前記スイッチが押圧操作されたこと、及び
ｂ２．前記操作装置が自身の識別コードと前記携帯機の識別コードとが一致している旨を判断したこと、
の論理積条件からなることを要旨としている。
【００１６】
建物に不正に侵入する者は通常、携帯機を所持していない者か、あるいは携帯機を所持していた場合であっても操作装置の有する識別コードとは一致しない携帯機を所持している者である。このため、同構成によれば、このような不正な侵入者が不正侵入履歴の記憶をリセットするためのスイッチを押圧操作した場合には、不正侵入履歴の記憶がリセットされることがない。換言すれば、正規のユーザが上記スイッチを押圧操作した場合にのみ、不正侵入履歴の記憶がリセットされるようになる。このため、セキュリティシステムとしてこのような構成を採用した場合であっても、不正な侵入者による不正侵入履歴の記憶のリセットを防止することができるようになる。
【００１７】
請求項４に記載の発明は、請求項３に記載の建物のセキュリティシステムにおいて、前記携帯機が、電気的エネルギの供給を受けて固有のトランスポンダコードを送信するトランスポンダを更に備えるものであり、前記操作装置が、前記携帯機のトランスポンダに対応した固有のトランスポンダコードを有するとともに、前記トランスポンダへ駆動電波を送信して電気的エネルギの供給を行い、前記トランスポンダから前記携帯機のトランスポンダコードを受信するものであるとき、前記不正侵入履歴の記憶をリセットするための条件が、前記条件ｂ１及び前記条件ｂ２の論理積条件を第１の条件として、また、
ｃ１．前記スイッチが押圧操作されたこと、及び
ｃ２．前記操作装置が自身のトランスポンダコードと前記携帯機のトランスポンダコードとが一致している旨を判断したこと、
の論理積条件を第２の条件として、これら第１及び第２の条件のいずれか一方の条件が満足されることであることを要旨としている。
【００１８】
同構成によるように、携帯機のトランスポンダコードと操作装置のトランスポンダコードとの照合を通じて不正侵入履歴の記憶をリセットするようにすれば、例えば携帯機の電池切れ等に起因して同携帯機が識別コードを送信することができない状況下でも、ユーザは不正侵入履歴の記憶をリセットすることができるようになる。
請求項５に記載の発明は、請求項１〜４のいずれか一項に記載の建物のセキュリティシステムにおいて、前記操作装置は、警戒対象の各々に対して設けられた発光部を有し、前記発光部は、前記警戒モードが解除されているときにそれぞれ対応する警戒対象が開状態である場合には点灯表示を行い、前記警戒モードに設定されているときにそれぞれ対応する警戒対象が開状態である場合には点滅表示を行うことを要旨としている。
請求項６に記載の発明は、請求項１〜５のいずれか一項に記載の建物のセキュリティシステムにおいて、前記スイッチは、前記警戒モードの設定及び解除を切り替えるための警戒モード切り替えスイッチであり、前記警戒モードが解除されている状態で前記不正侵入履歴が記憶されている場合、前記警戒モード切り替えスイッチが押圧操作されたとき、前記警戒モードの解除状態を維持したまま前記不正侵入履歴の記憶をリセットすることを要旨としている。
【発明の効果】
【００１９】
本発明によればこのように、不正な侵入の誤検知を抑制するとともに、不正な侵入があった場合にはこれをユーザに確実に知らせることができるようになる。
【発明を実施するための最良の形態】
【００２０】
（第１の実施形態）
以下、本発明にかかる建物のセキュリティシステムを具体化した第１の実施形態について図１〜図４を参照して説明する。
【００２１】
まず、図１は、本第１の実施形態にかかるセキュリティシステムを備えた住宅の斜視構造を示したものである。
同図１に示されるように、この住宅１０には、玄関口に玄関ドア１１が、また、側壁に採光や通風のための窓１２，１３が設けられている。そして、このセキュリティシステムは、玄関ドア１１の施錠及び解錠を制御するとともに、玄関ドア１１及び窓１２，１３から不正な侵入があった場合に警報を発するシステムである。そして、このセキュリティシステムでは、ユーザの携帯する携帯機２０と、同携帯機２０との無線通信を通じて玄関ドア１１の施解錠を制御する電気錠装置３０とにより玄関ドア１１の施錠操作及び解錠操作を実行する機構が構築されている。
【００２２】
ここで、この機構において、携帯機２０と電気錠装置３０とは、玄関ドア１１の周辺であって住宅１０内外に設定されたエリアＳ１，Ｓ２に携帯機２０が位置しているときに互いに無線通信可能となっている。そして、電気錠装置３０は、携帯機２０との無線通信を通じて玄関ドア１１の施錠操作及び解錠操作を行う。また、この電気錠装置３０は、携帯機２０に設けられた施錠スイッチ２１及び解錠スイッチ２２がユーザにより押圧操作された場合にも、玄関ドア１１の解錠操作及び施錠操作を行う。
【００２３】
一方、このセキュリティシステムでは、主に、電気錠装置３０と、窓１２，１３の開閉状態を検出する窓開閉状態検出センサ４０，４１と、電気錠装置３０及び窓開閉状態検出センサ４０，４１との無線通信を通じて同システムにかかる各種制御を実行する操作装置５０とから不正な侵入に対して警報を発する機構が構築されている。このうち、操作装置５０は、住宅１０の屋内の壁等に取り付けられている。図２に、この操作装置５０の正面構造を示す。
【００２４】
同図２に示されるように、この操作装置５０は、押しボタン式の警戒モード切替スイッチ５１を有しており、ユーザによる同スイッチ５１の押圧操作を通じて、セキュリティシステムの警戒モードの設定及び解除を実行する。また、この警戒モード切替スイッチ５１の近傍には、「警戒モード」と表示されたラベルと、赤色及び緑色のいずれかの色に発光する２色発光ダイオード（ＬＥＤ）５２とが設けられている。このＬＥＤ５２は、セキュリティシステムの警戒モードが解除されているときには緑色に、また、同システムが警戒モードに設定されているときには赤色に点灯する。また、この操作装置５０には、上記玄関ドア１１や窓１２，１３といった警戒対象のそれぞれの名称が表示された表示パネル５３が設けられている。なお、それぞれの警戒対象の名称について、「玄関」は玄関ドア１１に、「窓１」は窓１２に、「窓２」は窓１３に対応している。そして、この表示パネル５３には、これら警戒対象の名称の各々に対応して、赤色及び緑色のいずれかの色に発光する２色発光ダイオード（ＬＥＤ）５３ａが設けられている。ここで、このＬＥＤ５３ａは、セキュリティシステムが警戒モードに設定されているか否かで異なった点灯状態となる。具体的には、同ＬＥＤ５３ａは、同システムの警戒モードが解除されているときに、それぞれ対応する警戒対象が閉状態である場合には緑色に、開状態である場合には赤色に点灯する。一方、同ＬＥＤ５３ａは、同システムが警戒モードに設定されているときに、それぞれ対応する警戒対象が開状態となると赤色に点滅する。さらに、この操作装置５０には、不正な侵入が検知されたときに警戒音を鳴らすブザー５４が設けられている。すなわち、このセキュリティシステムでは、警戒モードに設定されている状態で不正な侵入が検知されると、表示パネル５３のＬＥＤ５３ａを赤色に点滅させるとともに、ブザー５４から警戒音を鳴らすことでユーザに対して警報を発する。
【００２５】
図３は、このようなセキュリティシステムについてそのシステム構成をブロック図として示したものであり、次に、同図３を参照して、このセキュリティシステムの動作概要を説明する。ここで、このセキュリティシステムは、上述のように、玄関ドア１１の施錠操作及び解錠操作を実行する機構と、不正な侵入に対して警報を発する機構とからなるため、まず、玄関ドア１１の施錠操作及び解錠操作を実行する機構についてその動作概要を説明する。この機構は、同図３に破線で示すように、また上述のように、携帯機２０及び電気錠装置３０から構築されている。
【００２６】
図３に示されるように、電気錠装置３０では、同装置３０に設けられた携帯機用送受信回路３４から携帯機用送受信アンテナ３４ａを通じて上記エリアＳ１，Ｓ２へリクエスト信号を発信する。そして、例えばユーザが携帯機２０を所持して住宅１０から外出する際に、携帯機２０がリクエスト信号を受信できる範囲内、すなわち上記エリアＳ１内に進入すると、このリクエスト信号が携帯機２０の送受信アンテナ２３ａから送受信回路２３に取り込まれた後、制御部２５へ送信される。この制御部２５は、演算処理装置（ＣＰＵ）やメモリ等を有するマイクロコンピュータを備えて当該携帯機２０に搭載される各種機器を統括制御する部分である。そして、この制御部２５では、このようにリクエスト信号を受信すると、同携帯機２０の固有の識別コードを含む応答信号を、送受信回路２３から送受信アンテナ２３ａを通じて電気錠装置３０へ送信する。この応答信号は、電気錠装置３０の携帯機用送受信アンテナ３４ａから携帯機用送受信回路３４に取り込まれた後、電気錠装置３０の制御部３６へ送信される。この制御部３６は、演算処理装置（ＣＰＵ）やメモリ等を有するマイクロコンピュータを備えて当該電気錠装置３０に搭載される各種機器を統括制御する部分である。そして、この制御部３６では、リクエスト信号に対してこのように応答信号を受信することができたことをもって携帯機２０がエリアＳ１内に位置していると判断するとともに、自身のメモリに予め記憶されている識別コードと携帯機２０から送信された応答信号に含まれる識別コードとを照合する。制御部３６では、これらの識別コードの照合を通じて互いの識別コードが一致していると判断した場合には携帯機２０を所持する正規のユーザが外出しようとしていると判断して、ドア施解錠機構３２を通じて玄関ドア１１の解錠操作を行う。
【００２７】
こうして玄関ドア１１が解錠されると、ユーザは玄関ドア１１を開けることができるようになり、ユーザが玄関ドア１１を開けてエリアＳ２へ移動した後、玄関ドア１１を閉めたとする。そしてこの後、電気錠装置３０では、ユーザによる以下のような操作に基づいて玄関ドア１１の施錠操作及び解錠操作を行う。
【００２８】
まず、ユーザが携帯機２０を電気錠装置３０のトランスポンダ用送受信アンテナ３３ａに近づけると、トランスポンダ用送受信回路３３から携帯機２０のトランスポンダ制御部２４に駆動電波が送信される。この駆動電波によりトランスポンダ制御部２４に起電力が供給されると、同トランスポンダ制御部２４からトランスポンダ送信アンテナ２４ａを介して携帯機２０のトランスポンダコードが送信される。このトランスポンダコードは、電気錠装置３０のトランスポンダ用送受信アンテナ３３ａを介してトランスポンダ用送受信回路３３に取り込まれた後、制御部３６へ送信される。そして、この制御部３６では、このように携帯機２０からトランスポンダコードを受信すると、自身のメモリに予め記憶されているトランスポンダコードと携帯機２０から送信されたトランスポンダコードとを照合する。制御部３６では、これらの照合を通じて互いのトランスポンダコードが一致していると判断していると判断した後、ユーザが警戒モード設定スイッチ３５を押圧操作して同スイッチ３５が押圧操作された旨の信号を受信すると、同スイッチ３５を押圧操作した者が正規のユーザであると判断し、ドア施解錠機構３２を通じて玄関ドア１１の施錠操作を行う。
【００２９】
一方、この制御部３６では、ユーザが玄関ドア１１を閉めた後、携帯機２０をトランスポンダ用送受信アンテナ３３ａに近づける行為を行わなかった場合、あるいは同行為を行った場合であっても警戒モード設定スイッチ３５を押圧操作しなかった場合には、以下のようにして玄関ドア１１の施錠操作を行う。まず、ユーザが玄関ドア１１を閉めた後、エリアＳ２内から出ると、電気錠装置３０は、携帯機２０からリクエスト信号に対する応答信号を受信することができなくなる。そして、電気錠装置３０の制御部３６では、このように携帯機２０から応答信号を受信することができなくなったことをもって携帯機２０がエリアＳ２内から出たと判断して、ドア施解錠機構３２を通じて玄関ドア１１の施錠操作を行う。
【００３０】
また一方、この電気錠装置３０では、ユーザが外出先から帰宅した際には、以下のようにして玄関ドア１１の施錠操作及び解錠操作を行う。
まず、携帯機２０を所持したユーザがエリアＳ２内に進入すると、携帯機２０は電気錠装置３０からのリクエスト信号を受信することができるようになる。そして、携帯機２０は、このように電気錠装置３０からのリクエスト信号を受信すると、電気錠装置３０に応答信号を送信する。電気錠装置３０の制御部３６では、携帯機２０から応答信号を受信することができたことをもって、携帯機２０がエリアＳ２内に位置している判断するとともに、自身のメモリに予め記憶されている識別コードと携帯機２０から送信された応答信号に含まれる識別コードとを照合する。そして、制御部３６では、これらの識別コードの照合を通じて、互いの識別コードが一致していると判断した場合には、携帯機２０を所持する正規のユーザが帰宅したものと判断して、ドア施解錠機構３２を通じて玄関ドア１１の解錠操作を行う。このようにして玄関ドア１１が解錠されると、ユーザは玄関ドア１１を開けることができるようになり、ユーザが玄関ドア１１を開けてエリアＳ１内に移動した後、同玄関ドア１１を閉めて同エリアＳ１から出ると、電気錠装置３０は、携帯機２０からリクエスト信号に対する応答信号を受信することができなくなる。そして、電気錠装置３０の制御部３６では、このように携帯機２０から応答信号を受信することができなくなったことをもって携帯機２０がエリアＳ１内から出たと判断して、ドア施解錠機構３２を通じて玄関ドア１１の施錠操作を行う。
【００３１】
ところで、上述のように、携帯機２０には、ユーザによって押圧操作される施錠スイッチ２１及び解錠スイッチ２２が設けられている。これら施錠スイッチ２１及び解錠スイッチ２２は、押圧操作されたときに、これらのスイッチ２１，２２が押圧操作されたことを示す信号を携帯機２０の制御部２５へそれぞれ送信する。そして、制御部２５では、これら施錠スイッチ２１及び解錠スイッチ２２が押圧操作されたことを示す信号を受信すると、これらの信号を同携帯機２０の識別コードとともに送受信回路２３から送受信アンテナ２３ａを通じて電気錠装置３０へ送信する。これらの信号も、電気錠装置３０の携帯機用送受信アンテナ３４ａから携帯機用送受信回路３４に取り込まれた後、制御部３６へ送信される。そして、電気錠装置３０の制御部３６では、携帯機２０の識別コードと電気錠装置３０の識別コードとが一致するか否かを判断し、互いに識別コードが一致していると判断した場合には、施錠スイッチ２１及び解錠スイッチ２２のいずれのスイッチが押圧操作されたのかを判断してドア施解錠機構３２を通じて玄関ドア１１の施錠操作及び解錠操作を行う。
【００３２】
次に、不正な侵入に対して警報を発する機構についてその動作を説明する。この機構は、同図３で一点鎖線で示すように、また上述のように、電気錠装置３０、窓開閉状態検出センサ４０，４１、及び操作装置５０から構成されている。
【００３３】
同図３に示されるように、電気錠装置３０には、玄関ドア１１の開閉状態を検出するドア開閉状態検出センサ３１が設けられている。このセンサ３１は、玄関ドア１１の開閉状態に基づいて、玄関ドア１１が開状態であることを示す信号、あるいは閉状態であることを示す信号を電気錠装置３０の制御部３６へ送信する。そして、同制御部３６では、これらの信号を受信すると、配線６０を通じて操作装置５０の制御部５６へ同信号を送信する。この制御部５６は、演算処理装置（ＣＰＵ）やメモリ等を有するマイクロコンピュータを備えて当該操作装置５０に搭載される各種機器を統括制御する部分である。そして、同制御部５６では、このようにして受信した信号に基づいて玄関ドア１１の開閉状態を判断する。
【００３４】
一方、窓１２の開閉状態を検出する窓開閉状態検出センサ４０は、同窓１２の開閉状態に基づいて、窓１２が開状態であることを示す信号、あるいは閉状態であることを示す信号を送信用アンテナ４０ａを通じて操作装置５０へ送信する。これに対し、窓１３の開閉状態を検出する窓開閉状態検出センサ４１は、同窓１３の開閉状態に基づいて、窓１３が開状態であることを示す信号、あるいは閉状態であることを示す信号を送信用アンテナ４１ａを通じて操作装置５０へ送信する。送信用アンテナ４０ａ，４１ａから送信されるこれらの信号は、操作装置５０の窓用受信アンテナ５５ａから窓用受信回路５５に取り込まれた後、操作装置５０の制御部５６へ送信される。そして、同制御部５６では、こうして受信した信号に基づいて窓１２，１３のそれぞれの開閉状態を検知する。
【００３５】
そして、操作装置５０の制御部５６では、セキュリティシステムを警戒モードに設定しているときに、これら玄関ドア１１の施解錠状態、及び窓１２，１３のそれぞれの開閉状態に基づいて住宅１０内への不正な侵入の有無を監視する。具体的には、例えばセキュリティシステムを警戒モードに設定しているときに、玄関ドア１１が解錠状態となった旨を検知した場合には、玄関ドア１１から不正な侵入があったものと判断する。同様に、同システムを警戒モードに設定しているときに、窓１２，１３のいずれかの窓が開状態となった旨を検知した場合には、窓１２，１３のいずれかの場所から不正な侵入があったものと判断する。そして、この制御部５６では、このように不正な侵入を検知すると、表示パネル５３のＬＥＤ５３ａうち、不正な侵入があった場所に対応したＬＥＤ５３ａを赤色に点滅させるとともに、ブザー５４から警告音を鳴らす。
【００３６】
ところで、前述のように、電気錠装置３０では、例えばユーザの外出時に際して、携帯機２０のトランスポンダ制御部２４及び電気錠装置３０の制御部３６のトランスポンダコードがそれぞれ一致している旨が判断された上で電気錠装置３０の警戒モード設定スイッチ３５が押圧操作された旨を検知した場合に玄関ドア１１を施錠する。そして、この電気錠装置３０の制御部３６では、こうして玄関ドア１１を施錠した後、再び警戒モード設定スイッチ３５が押圧操作された場合に、セキュリティシステムを警戒モードに設定すべき旨を示す信号を操作装置５０の制御部５６に送信する。一方、これも前述のように、電気錠装置３０では、例えばユーザの帰宅時に携帯機２０がエリアＳ２内に進入すると、同携帯機２０から送信される識別コードと自身の識別コードとが一致しているか否かを判断し、互いの識別コードが一致していると判断した場合に玄関ドア１１を解錠する。また、電気錠装置３０では、例えば携帯機２０の解錠スイッチ２２が押圧操作された場合に、同携帯機２０から送信される識別コードと自身の識別コードとが一致しているか否かを判断し、互いの識別コードが一致していると判断した場合にも玄関ドア１１を解錠することも前述のとおりである。そして、電気錠装置３０の制御部３６では、このようにして玄関ドア１１を解錠した場合に、セキュリティシステムの警戒モードを解除すべき旨を示す信号を操作装置５０の制御部５６に送信する。一方、操作装置５０では、同装置５０に設けられる警戒モード切替スイッチ５１が押圧操作されたときに、同スイッチ５１が押圧操作されたことを示す信号を制御部５６へ送信する。そして、制御部５６では、これらセキュリティシステムを警戒モードに設定すべき旨を示す信号、セキュリティシステムの警戒モードを解除すべき旨を示す信号、及び警戒モード切替スイッチ５１が押圧操作されたことを示す信号に基づいてセキュリティシステムの警戒モードの設定と、その解除とを行う。ここで、図４に、このようなセキュリティシステムの警戒モードの設定及び解除の状態遷移を示す。
【００３７】
同図４に示されるように、制御部５６では、セキュリティシステムの警戒モードを解除している状態、すなわち同システムを非警戒モードに設定している状態で、例えば住宅１０内にいるユーザが警戒モード切替スイッチ５１を押圧操作して、同スイッチ５１が押圧操作されたことを示す信号を受信した場合には、同システムを警戒モードに設定する。一方、同制御部５６では、セキュリティシステムを警戒モードに設定している状態で、警戒モード切替スイッチ５１が押圧操作されたことを示す信号を受信した場合には、セキュリティシステムの警戒モードを解除する。そして、同制御部５６では、セキュリティシステムを警戒モードに設定している状態で、例えば窓１２からの不正な侵入を検知した場合には、同システムを警戒モードに設定したまま、窓１２に対応するＬＥＤ５３ａを赤色に点滅させるとともに、ブザー５４から警告音を鳴らす。ユーザは、このようにブザー５４から警告音が鳴ることで不正な侵入があったことに気付くとともに、その後、操作装置５０の場所まで移動して表示パネル５３のＬＥＤ５３ａを視認することでどの場所から不正な侵入があったのかを知ることができる。そして、制御部５６では、不正な侵入が検知されている状態で、どの場所から不正な侵入があったのかを確認したユーザが警戒モード切替スイッチ５１を押圧操作して、同スイッチ５１が押圧操作された旨を示す信号を受信した場合には、セキュリティシステムの警戒モードを解除する。また、制御部５６では、セキュリティシステムの警戒モードを解除する際に、例えば不正な侵入の検知された窓１２がいまだ開状態である場合には、同窓１２に対応したＬＥＤ５３ａを赤色の点滅状態から点灯状態に変更するとともに、ブザー５４からの警告音を停止する。
【００３８】
一方、制御部５６では、セキュリティシステムを非警戒モードに設定している状態で、例えば住宅１０内にいるユーザが外出する際の玄関ドア１１の施錠操作に伴い、上記セキュリティシステムを警戒モードに設定すべき旨を示す信号を受信した場合には、セキュリティシステムを警戒モードに設定する。これに対し、制御部５６では、セキュリティシステムを警戒モードに設定している状態で、玄関ドア１１の解錠操作に伴い、上記セキュリティシステムの警戒モードを解除すべき旨を示す信号を受信した場合には、セキュリティシステムの警戒モードを解除する。そして、制御部５６では、セキュリティシステムを警戒モードに設定している状態で、例えば窓１２からの不正な侵入を検知した場合には、同システムを警戒モードに設定したまま、窓１２に対応するＬＥＤ５３ａを赤色に点滅させるとともに、ブザー５４から警告音を鳴らす。
【００３９】
そして、制御部５６では、このように不正な侵入が検知されている状態で、玄関ドア１１の解錠操作に伴い、上記セキュリティシステムの警戒モードを解除すべき旨を示す信号を受信した場合には、不正侵入履歴を自身のメモリに記憶し、セキュリティシステムの警戒モードを解除する。具体的には、例えば窓１２から不正な侵入があった場合には、制御部５６では、窓１２から不正な侵入があったことを示す不正侵入履歴を自身のメモリに記憶する。そして、制御部５６では、窓１２に対応した表示パネル５３のＬＥＤ５３ａを赤色に点滅させつつ、ブザー５４から警告音を鳴らした状態を維持したまま、セキュリティシステムの警戒モードを解除する。これにより、例えばユーザの帰宅時にあっては、玄関ドア１１の解錠操作に伴いセキュリティシステムの警戒モードが解除されるため、同システムが前述のような帰宅後のユーザ自身の誤操作を不正な侵入と誤検知してしまうといった懸念が解消される。また、このセキュリティシステムでは、一旦不正な侵入を検知すれば、不正侵入履歴が制御部５６のメモリに記憶されてブザー５４から警告音が鳴ったままの状態となるため、ユーザは、同ブザー５４からの警告音を通じて不正な侵入があったことを確実に知ることができる。しかも、このセキュリティシステムでは、表示パネル５３のＬＥＤ５３ａを赤色に点滅させた状態を維持するため、ユーザは、同表示パネル５３を視認することでいずれの場所から不正な侵入があったのかを確実に知ることができる。
【００４０】
また、制御部５６では、セキュリティシステムの警戒モードを解除している状態で、玄関ドア１１の施錠に伴い、上記セキュリティシステムを警戒モードに設定すべき旨を示す信号を受信した場合には、不正な侵入の履歴をメモリに記憶したまま、セキュリティシステムを警戒モードに設定する。これにより、不正な侵入が検知されているときに非警戒モードから警戒モードとなった場合であっても、表示パネル５３の表示、あるいはブザー５４からの警告音を通じて、ユーザはいずれの場所から不正な侵入があったのかを確実に知ることができる。
【００４１】
さらに、制御部５６では、このように不正侵入履歴がメモリに記憶されているときには、セキュリティシステムの警戒モードが解除されている状態で警戒モード切替スイッチ５１が押圧操作された場合に、不正侵入履歴をリセットする。換言すれば、不正侵入履歴をリセットするための条件は以下の条件Ａ１及び条件Ａ２の論理積条件からなる。すなわち、
（Ａ１）警戒モード切替スイッチ５１が押圧操作されたこと。
（Ａ２）セキュリティシステムの警戒モードが解除されていること。
ここで、条件Ａ２が満たされるためには、以下の条件Ａ２’が満たされることが十分条件となる。すなわち、
（Ａ２’）電気錠装置３０が自身の識別コードと携帯機２０の識別コードとが一致している旨を判断して玄関ドア１１を解錠したこと。
したがって、不正侵入履歴をリセットするための条件は、結局、以下の条件ａ１及びａ２の論理積条件からなる。
（ａ１）警戒モード切替スイッチ５１が押圧操作されたこと。
（ａ２）電気錠装置３０が自身の識別コードと携帯機２０の識別コードとが一致している旨を判断して玄関ドア１１を解錠したこと。
【００４２】
そして、電気錠装置３０では、同電気錠装置３０の識別コードと携帯機２０の識別コードとが一致することをもって携帯機２０を所持した者が正規のユーザであると判断するようにしている。そこで、操作装置５０の制御部５６では、条件ａ１及び条件ａ２の論理積条件が満たされた場合には、正規のユーザが警戒モード切替スイッチ５１を押圧操作しているものと判断して不正侵入履歴をリセットする。このように、このセキュリティシステムでは、同スイッチ５１を押圧操作している者が正規のユーザであるか否かの判定に、電気錠装置３０による玄関ドア１１の解錠時の識別コードの照合を利用するようにした。このため、同判定を容易に行うことができるようになる。また、同システムでは、正規のユーザが同スイッチ５１を押圧操作した場合にのみ、不正侵入履歴がリセットされるようになるため、不正な侵入者による不正侵入履歴のリセットを防止することができるようになる。
【００４３】
またさらに、このセキュリティシステムでは、このように警戒モード切替スイッチ５１の押圧操作に基づいて不正侵入履歴をリセットするようにした。このように、警戒モード切替スイッチ５１の押圧操作に基づいて不正侵入履歴をリセットするようにすることで、同不正侵入履歴をリセットするためのスイッチを新たに設ける必要がなくなり、同操作装置５０の構造を簡素なものとすることができるようになる。また、不正侵入履歴をリセットするための操作としてユーザによる警戒モード切替スイッチ５１の押圧操作といった方法を採用することでユーザは同スイッチ５１に並設された表示パネル５３を必ず視認するようになるため、ユーザに不正侵入履歴を確実に知らせることができる。
【００４４】
以上説明したように、本第１の実施形態かかるセキュリティシステムによれば、以下のような効果が得られるようになる。
（１）セキュリティシステムが警戒モードに設定されている状態で不正な侵入が検知された際には、不正侵入履歴としてこれを記憶するようにした。そして、不正な侵入が検知された後に玄関ドア１１が解錠操作された際には、記憶された不正侵入履歴に基づき、不正な侵入が検知された場所に対応したＬＥＤ５３ａを赤色に点滅させつつ、ブザー５４から警告音を鳴らした状態を維持したまま、警戒モードを解除するようにした。これにより、例えばユーザの帰宅時にあっては、玄関ドア１１の解錠操作に伴って警戒モードが解除されるようになるため、前述のような帰宅後のユーザ自身の誤操作を不正な侵入と誤検知してしまうといった懸念が解消されるようになる。また、このような不正な侵入があった場合には、警戒モードが解除されても、不正な侵入が検知された場所に対応したＬＥＤ５３ａが赤色に点滅したままの状態、及びブザー５４から警告音がなったままの状態が維持されるため、表示パネル５３及びブザー５４を通じてユーザに不正な侵入があったことを確実に知らせることができるようになる。
【００４５】
（２）また、不正侵入履歴を記憶したまま警戒モードを解除した後、セキュリティシステムが再び警戒モードに設定された際にも、不正侵入履歴を記憶したままの状態を維持するようにした。これにより、警戒モードが解除された後であって不正侵入履歴がリセットされる前に、玄関ドア１１の施錠操作を通じてセキュリティシステムが警戒モードに設定された場合であっても不正侵入履歴が残ることとなるため、このような場合にもユーザに不正な侵入があったことを確実に知らせることができるようになる。
【００４６】
（３）不正な侵入が検知された場所を表示する表示パネル５３と、同パネル５３の表示をリセットするためのスイッチ、すなわち警戒モード切替スイッチ５１とを並設するようにした。このため、ユーザは、表示パネル５３の表示をリセットする際に同パネル５３を必ず視認するようになるため、同表示パネル５３を通じてユーザに不正な侵入が検知された場所を確実に知らせることができるようになる。
【００４７】
（４）警戒モードの設定及び解除の切り替えを実行するための警戒モード切替スイッチ５１の押圧操作に基づいて不正侵入履歴をリセットするようにした。これにより、不正侵入履歴をリセットするためのスイッチと、警戒モードの設定及び解除の切り替えを実行するためのスイッチとを別々に設ける必要がなくなるため、操作装置５０の構造を簡素なものとすることができ、ひいてはセキュリティシステム自身の構成を簡素なものとすることができるようになる。
【００４８】
（５）以下の条件ａ１及び条件ａ２の論理積条件が満たされたときに、不正侵入履歴をリセットするようにした。
（ａ１）警戒モード切替スイッチ５１が押圧操作されたこと。
（ａ２）電気錠装置３０が自身の識別コードと携帯機２０の識別コードとが一致している旨を判断して玄関ドア１１を解錠したこと。
【００４９】
そして、このｂ２の条件に基づいて警戒モード切替スイッチ５１を押圧操作している者が正規のユーザであるか否かを判定するようにした。すなわち、スイッチ５１を押圧操作している者が正規のユーザであるか否かの判定に、電気錠装置３０による玄関ドア１１の解錠時の識別コードの照合を利用するようにした。このため、同判定を容易に行うことができるようになる。また、正規のユーザが同スイッチ５１を押圧操作した場合にのみ、不正侵入履歴がリセットされるようになるため、不正な侵入者による不正侵入履歴のリセットを防止することができるようになる。
【００５０】
（第２の実施形態）
続いて、本発明にかかる建物のセキュリティシステムを具体化した第２の実施形態について図５〜図７を参照して説明する。なお、この第２の実施形態もセキュリティシステムとしての基本構造は先の図１〜図３に準ずるものであり、ここでは先の図１に対応する図として、セキュリティシステムを備えた住宅の斜視構造を図５に示す。また、先の図３に対応する図として、セキュリティシステムのシステム構成をブロック図として図６に、さらに、先の図４に対応する図として、セキュリティシステムの警戒モードの設定及び解除の状態遷移を図７にそれぞれ示す。また、これら図５及び図６において、先の図１及び図３に示した要素と同一の要素にはそれぞれ同一符号を付すことにより重複する説明を割愛し、以下では、両者の相違点を中心に説明する。
【００５１】
上記第１の実施形態にかかるセキュリティシステムでは、警戒モード切替スイッチ５１を押圧操作している者が正規のユーザであるか否かの判定に、電気錠装置３０による玄関ドア１１の解錠時の識別コードの照合を利用するようにした。これに対し、この第２の実施形態にかかるセキュリティシステムでは、警戒モード切替スイッチ５１を押圧操作している者が正規のユーザであるか否かの判定を、操作装置５０と携帯機２０との間の識別コードの照合を通じて行うようにしている。
【００５２】
図５は、上述のように、本実施形態にかかるセキュリティシステムを備えた住宅の斜視構造を示したものである。
同図５に示されるように、このセキュリティシステムにおいて、携帯機２０と操作装置５０とは、同操作装置５０の周辺に設定されたエリアＳ３に携帯機２０が位置しているときに互いに無線通信可能となっている。続いて、図６を参照して、このセキュリティシステムのシステム構成の詳細について説明する。図６は、上述のように、同セキュリティシステムのシステム構成をブロック図として示したものである。
【００５３】
同図６に示されるように、このセキュリティシステムでは、その操作装置５０に、携帯機用送受信アンテナ５７ａを通じて上記エリアＳ３内にリクエスト信号を発信する携帯機用送受信回路５７が設けられている。そして、例えば携帯機２０を所持するユーザが帰宅して住宅１０内に入った後、エリアＳ３内に進入すると、このリクエスト信号が携帯機２０の送受信アンテナ２３ａから送受信回路２３に取り込まれた後、制御部２５へ送信される。携帯機２０の制御部２５では、このようにリクエスト信号を受信すると、同携帯機２０の固有の識別コードを含む応答信号を、送受信回路２３から送受信アンテナ２３ａを通じて操作装置５０へ送信する。この応答信号は、操作装置の携帯機用送受信アンテナ５７ａから携帯機用送受信回路５７に取り込まれた後、操作装置５０の制御部５６へ送信される。そして、この制御部５６では、リクエスト信号に対してこのように応答信号を受信することができたことをもって携帯機２０がエリアＳ３内に位置していると判断するとともに、自身のメモリに予め記憶されている識別コードと携帯機２０から送信された応答信号に含まれる識別コードとを照合する。制御部５６では、これらの識別コードの照合を通じて互いの識別コードが一致していると判断した場合には、携帯機２０を所持する者が正規のユーザであると判断する。続いて、図７を参照して、本実施形態にかかるセキュリティシステムの警戒モードの設定及び解除の状態遷移について説明する。
【００５４】
図７に示されるように、制御部５６では、上記第１の実施形態にかかるセキュリティシステムと同様に、不正な侵入が検知されている状態で、玄関ドア１１の解錠に伴い上記セキュリティシステムの警戒モードを解除すべき旨を示す信号を受信した場合には、不正侵入履歴を操作装置５０の制御部５６のメモリに記憶したまま、警戒モードを解除する。そして、この制御部５６では、こうして警戒モードを解除した後、以下の条件ｂ１及び条件ｂ２の論理積条件が満たされたときに不正侵入履歴をリセットする。
（ｂ１）警戒モード切替スイッチ５１が押圧操作されたこと。
（ｂ２）操作装置５０が自身の識別コードと携帯機２０の識別コードとが一致している旨を判断したこと。
【００５５】
ところで、住宅１０内に不正侵入する者は通常、携帯機２０を所持していない者であるか、あるいは携帯機２０を所持していた場合であっても操作装置５０の識別コードとは異なる識別コードを有する携帯機を所持する者である。したがって、このような不正な侵入者が不正侵入履歴をリセットすべく警戒モード切替スイッチ５１を操作しても、上記ｂ２の条件が満たされることはない。このため、このような構成からなるセキュリティシステムによれば、不正な侵入者による不正侵入履歴のリセットを防止することができるようになる。
【００５６】
以上説明したように、本実施形態によれば、先の第１の実施形態による前記（１）〜（４）の効果に加え、さらに以下の効果が得られるようになる。
（６）以下の条件ｂ１及び条件ｂ２の論理積条件が満たされたときに、不正侵入履歴をリセットするようにした。
（ｂ１）警戒モード切替スイッチ５１が押圧操作されたこと。
（ｂ２）操作装置５０が自身の識別コードと携帯機２０の識別コードとが一致している旨を判断したこと。
【００５７】
これにより、不正な侵入者による不正侵入履歴のリセットを防止することができるようになる。
なお、この第２の実施形態にかかるセキュリティシステムは、例えば以下の変形例のごとく、これを適宜変更して実施することもできる。
【００５８】
（変形例）
図８に、上記第２の実施形態にかかるセキュリティシステムの変形例を示す。
同図８に示されるように、この変形例では、操作装置５０に、押圧操作されるトランスポンダ用トリガスイッチ５９と、同トリガスイッチ５９の押圧操作に基づいて駆動電波を発信して上記携帯機２０からトランスポンダコードを受信するトランスポンダ用送受信回路５８とがそれぞれ設けられている。なお、同トランスポンダ用送受信回路５８は、上記電気錠装置３０のトランスポンダ用送受信回路３３と同様の原理にて携帯機２０のトランスポンダコードを受信する。
【００５９】
そして、このセキュリティシステムでは、警戒モード切替スイッチ５１を押圧操作している者が正規のユーザであるか否かの判定を、操作装置５０と携帯機２０との間の識別コードの照合ばかりでなく、操作装置５０と携帯機２０との間のトランスポンダコードの照合を通じて行うようにしている。すなわち、上記条件ｂ１及び条件の論理積条件が満たされた場合ばかりでなく、以下の条件ｃ１及び条件ｃ２の論理積条件が満たされた場合にも不正侵入履歴をリセットする。
（ｃ１）警戒モード切替スイッチ５１が押圧操作されたこと。
（ｃ２）操作装置５０が自身のトランスポンダコードと携帯機２０のトランスポンダコードとが一致している旨を判断したこと。
【００６０】
これにより、例えば携帯機２０の電池切れ等に起因して同携帯機２０が識別コードを送信できない状況下でも、ユーザは不正侵入履歴をリセットすることができるようになる。
（他の実施の形態）
なお、上記各実施形態は、これを適宜変更した以下の形態にて実施することもできる。
【００６１】
・上記各実施形態では、操作装置５０において、警戒モード切替スイッチ５１と表示パネル５３とを並設するようにしたが、ユーザの利便性を考慮して、これらを別々の場所に設けてもよい。
【００６２】
・上記各実施形態では、警戒モード切替スイッチ５１が、セキュリティシステムの警戒モードの設定及び解除を切り替える機能、及び不正侵入履歴をリセットする機能の２つの機能を有していた。これに対し、ユーザの操作性を考慮して、例えばセキュリティシステムの警戒モードの設定及び解除を切り替えるためのスイッチと、不正侵入履歴をリセットするためのスイッチとを別々に設けてもよい。
【００６３】
・上記各実施形態では、記憶した不正侵入履歴に基づき、不正な侵入が検知された場所に対応したＬＥＤ５３ａを赤色に点滅させつつ、ブザー５４から警告音を鳴らすことでユーザに警報を発するようにしたが、例えばブザー５４から警告音を鳴らすことのみでユーザに警報を発するようにしてもよい。また、例えば不正な侵入が検知された場所に対応したＬＥＤ５３ａを赤色に点滅させることのみでユーザに警報を発するようにしてもよい。さらに、ブザー５４からの警告音を所定時間だけ鳴るように設定してもよい。なお、例えばブザー５４から警告音を鳴らすことのみでユーザに警報を発するようにした場合には、操作装置５０として、表示パネル５３を省略した構成を採用してもよい。また、例えばＬＥＤ５３ａを赤色に点滅させることのみでユーザに警報を発するようにした場合には、操作装置５０として、ブザー５４を省略した構成を採用してもよい。要は、どのような方法であれ、記憶した不正侵入履歴に基づいてユーザに警報を発するものであればよい。
【００６４】
・上記各実施形態では、警戒モード切替スイッチ５１を押圧操作することで不正侵入履歴をリセットするようにしたが、このようなスイッチの他、例えばユーザの音声に基づき不正侵入履歴をリセットするようにしてもよい。
【００６５】
・上記各実施形態では、セキュリティシステムが、玄関ドア１１及び窓１２，１３からの不正な侵入を検知したときに警報を発するものであったが、例えば、窓１２，１３からの不正な侵入を検知したときにのみ警報を発するようなものであってもよい。
【００６６】
・上記各実施形態では、本発明にかかるセキュリティシステムを住宅に適用する場合について例示したが、この他、例えば倉庫やビル等の建物に適用してもよい。
・上記各実施形態では、操作装置５０が、電気錠装置３０との有線通信を通じて玄関ドア１１の施錠操作及び解錠操作を検知する場合について例示したが、電気錠装置との無線通信を通じて玄関ドア１１の施錠操作及び解錠操作を検知するようにしてもよい。
【００６７】
・上記各実施形態では、警戒モードにおいて不正な侵入が検知されている状況で玄関ドア１１が解錠操作されたときに不正侵入履歴を記憶するようにしたが、警戒モードにおいて不正な侵入が検知された段階で不正侵入履歴を記憶するようにしてもよい。
【００６８】
・不正侵入履歴をリセットするための条件を、第１の実施形態では条件ａ１及び条件ａ２の論理積条件、第２の実施形態では条件ｂ１及び条件ｂ２の論理積条件としたが、条件ａ１、条件ａ２、及び条件ｂ２の論理積条件としてもよい。さらに、不正侵入履歴をリセットするための条件を、条件ａ１、条件ａ２、条件ｂ２、及び条件ｃ２の論理積条件としてもよい。
【００６９】
・例えば玄関ドアがキーシリンダーを有するものであり、同キーシリンダーにメカニカルキーを挿入することによって施錠操作及び解錠操作が実行される玄関ドアにあっては、同施錠操作及び解錠操作を検知するためのセンサを玄関ドアに別途設け、同センサから送信される信号に基づいて玄関ドアの施錠操作及び解錠操作を検知する。そして、玄関ドアの施錠操作が検知された場合には警戒モードを解除するとともに、玄関ドアの解錠操作が検知された場合には警戒モードに設定するようにしてもよい。さらにこの場合において、非警戒モードに設定されている状態で上記警戒モード切替スイッチ５１が押圧操作されたとき不正侵入履歴をリセットするようにしてもよい。
【００７０】
（付記）
次に、上記実施形態及びその変形例から把握できる技術的思想について追記する。
（イ）前記不正侵入履歴を記憶したまま、前記警戒モードの解除を実行した後、前記不正侵入履歴の記憶をリセットするためのスイッチを押圧操作する前に前記玄関ドアが施錠操作された際には、前記不正侵入履歴を記憶したまま、前記警戒モードの設定を実行することを特徴とする建物のセキュリティシステム。同構成によれば、警戒モードが解除された後であって不正侵入履歴の表示がリセットされる前に、玄関ドアの施錠操作を通じてセキュリティシステムが警戒モードに設定された場合であっても不正侵入履歴が残ることとなるため、このような場合にもユーザに不正な侵入があったことを確実に知らせることができるようになる。
【図面の簡単な説明】
【００７２】
【図１】本発明にかかる建物のセキュリティシステムの第１の実施形態について同システムを備えた住宅の斜視構造を示した斜視図。
【図２】同第１の実施形態のセキュリティシステムについてその操作装置の正面構造を示す正面図。
【図３】同第１の実施形態のセキュリティシステムについてそのシステム構成を示すブロック図。
【図４】同第１の実施形態のセキュリティシステムについてその警戒モードの設定及び解除と、玄関ドアの施解錠操作、及び警戒モード切替スイッチの押圧操作との関係を示す状態遷移図。
【図５】本発明にかかる建物のセキュリティシステムの第２の実施形態について同システムを備えた住宅の斜視構造を示した斜視図。
【図６】同第２の実施形態のセキュリティシステムについてそのシステム構成を示すブロック図。
【図７】同第２の実施形態のセキュリティシステムについてその警戒モードの設定及び解除と、玄関ドアの施解錠操作、及び警戒モード切替スイッチの押圧操作との関係を示す状態遷移図。
【図８】同第２の実施形態の変形例についてそのシステム構成を示すブロック図。
【符号の説明】
【００７３】
１０…住宅、１１…玄関ドア、１２，１３…窓、１３…窓、２０…携帯機、２１…施錠スイッチ、２２…解錠スイッチ、２３…送受信回路、２３ａ…送受信アンテナ、２４…トランスポンダ制御部、２４ａ…トランスポンダ送信アンテナ、２５…携帯機の制御部、３０…電気錠装置、３１…ドア開閉状態検出センサ、３２…ドア施解錠機構、３３…トランスポンダ用送受信回路、３３ａ…トランスポンダ用送受信アンテナ、３４…携帯機用送受信回路、３４ａ…携帯機用送受信アンテナ、３５…警戒モード設定スイッチ、３６…電気錠装置の制御部、４０，４１…窓開閉状態検出センサ、４０ａ，４１ａ…送信用アンテナ、５０…操作装置、５１…警戒モード切替スイッチ、５２，５３ａ…発光ダイオード（ＬＥＤ）、５３…表示パネル、５４…ブザー、５５…窓用受信回路、５５ａ…窓用受信アンテナ、５６…操作装置の制御部、５７…携帯機用送受信回路、５７ａ…携帯機用送受信アンテナ、５８…トランスポンダ用送受信回路、５９…トランスポンダ用トリガスイッチ、６０…配線。
【図１】
0005384810.tif 000002
【図２】
0005384810.tif 000003
【図３】
0005384810.tif 000004
【図４】
0005384810.tif 000005
【図５】
0005384810.tif 000006
【図６】
0005384810.tif 000007
【図７】
0005384810.tif 000008
【図８】
0005384810.tif 000009